(57)【要約】【課題】建材のトレーサビリティを向上させることができる建材管理方法、建材管理システム、及び建材を提供する。                                                                        【解決手段】ユーザーは、建材２０の表面側に形成された識別情報を読み取ることで、サーバ１０から当該識別情報に紐付けられた製品情報を取得することができる。ここで、識別情報付与工程では、建材２０の長手方向に沿って、識別情報を連続して建材２０の表面側に形成する。従って、建材２０の長手方向の任意位置で任意の長さで切断建材２５を切り出した場合に、切り出した切断建材２５に識別情報を含ませることができる。そのため、ユーザーは、切断建材２５に形成された識別情報を読み取って、正確に製品情報を取得することができる。【選択図】図１
2019175227.tif 000002
【特許請求の範囲】
【請求項１】
識別情報を用いて建材を管理する建材管理方法であって、
前記建材に対して、当該建材を特定するための前記識別情報を付与する識別情報付与工程を備え、
前記識別情報は、
前記建材の表面側にて読み取り可能な態様にて形成され、
サーバに格納された前記建材の製品上の特性を示す製品情報と紐付けられており、当該識別情報を読み取る事によって前記サーバから前記製品情報を取得可能であり、
前記識別情報付与工程では、前記建材の長手方向に沿って、前記識別情報を連続して前記建材の前記表面側に形成する、建材管理方法。
【請求項２】
前記建材の前記長手方向における中途位置で切断された切断建材は、前記建材の長手方向に沿って、前記識別情報を少なくとも一つ備える、請求項１に記載の建材管理方法。
【請求項３】
前記長手方向における中途位置で切断された切断建材の検査を行う検査工程を更に備え、
前記検査工程では、
切断建材に形成されている前記識別情報を読み取る事によって、前記サーバから前記製品情報が取得される、請求項１又は２に記載の建材管理方法。
【請求項４】
前記識別情報を前記サーバへ送信する識別情報送信工程と、
前記識別情報に対応する前記建材の前記製品情報を前記サーバに送信する製品情報送信工程と、を更に備え、
前記製品情報送信工程は、前記識別情報送信工程とは異なるタイミングにて実行される、請求項１〜３のいずれか１項に記載の建材管理方法。
【請求項５】
識別情報を用いて建材を管理する建材管理システムであって、
サーバと、
建材に対して、当該建材を特定するための識別情報を付与する識別情報付与部と、
前記識別情報を前記サーバへ送信する識別情報送信部と、
前記建材の製品上の特性を示す製品情報を前記サーバへ送信する製品情報送信部と、を備え、
前記サーバは、
前記識別情報送信部からの前記識別情報、及び前記製品情報送信部からの前記製品情報を取得する情報取得部と、
前記識別情報と前記製品情報とを紐付ける情報処理部と、
前記識別情報に関する前記製品情報を呼び出す旨の要求を受信した場合に、要求された前記識別情報に紐付けられた前記製品情報を送信する情報送信部と、を備え、
前記識別情報付与部は、前記建材の表面側にて読み取り可能な態様にて、且つ、前記建材の長手方向に沿って、前記識別情報を連続して前記建材の前記表面側に形成する、建材管理システム。
【請求項６】
識別情報が表面側にて読み取り可能な態様にて形成された建材であって、
前記建材を特定するための前記識別情報は、サーバに格納された前記建材の製品上の特性を示す製品情報と紐付けられており、当該識別情報を読み取る事によって前記サーバから前記製品情報を取得可能であり、
前記表面側には、前記建材の長手方向に沿って、前記識別情報が連続して形成される、建材。
【発明の詳細な説明】
【技術分野】
【０００１】
本発明は、建材管理方法、建材管理システム、及び建材に関する。
【背景技術】
【０００２】
従来、建材管理方法として、特許文献１に記載されたものが知られている。この建材管理方法では、建材に対して識別情報が設定され、その識別情報が記載されたラベルを建材に対して貼り付けている。これにより、ユーザーは、建材の流通過程の中で、ラベルを読み取ることによって、建材が指示通りの製品であることを確認している。
【先行技術文献】
【特許文献】
【０００３】
【特許文献１】特開２０１３−２１４２０５号公報
【発明の概要】
【発明が解決しようとする課題】
【０００４】
ここで、建材の流通過程の中では、顧客の要望に応じて建材が長手方向における任意の位置で切断され、切断された建材（切断建材）が流通する場合がある（切り売り）。例えば、建材のうち、ラベルが貼られていない部分が切り取られて流通すると、建材の製品情報を正確に確認することが出来ない場合がある。従って、建材のトレーサビリティを向上させることが求められていた。
【０００５】
本発明は、このような課題を解決するためになされたものであり、建材のトレーサビリティを向上させることができる建材管理方法、建材管理システム、及び建材を提供することを目的とする。
【課題を解決するための手段】
【０００６】
本発明に係る建材管理方法は、識別情報を用いて建材を管理する建材管理方法であって、建材に対して、当該建材を特定するための識別情報を付与する識別情報付与工程を備え、識別情報は、建材の表面側にて読み取り可能な態様にて形成され、サーバに格納された建材の製品上の特性を示す製品情報と紐付けられており、当該識別情報を読み取る事によってサーバから製品情報を取得可能であり、識別情報付与工程では、建材の長手方向に沿って、識別情報を連続して建材の表面側に形成する。
【０００７】
本発明に係る建材管理方法は、建材に対して、当該建材を特定するための識別情報を付与する識別情報付与工程を備える。識別情報は、建材の表面側にて読み取り可能な態様にて形成されている。また、識別情報は、サーバに格納された建材の製品上の特性を示す製品情報と紐付けられており、読み取る事によってサーバから製品情報を取得可能である。従って、ユーザーは、建材の表面側に形成された識別情報を読み取ることで、サーバから当該識別情報に紐付けられた製品情報を取得することができる。ここで、識別情報付与工程では、建材の長手方向に沿って、識別情報を連続して建材の表面側に形成する。従って、建材の長手方向の任意の位置と任意の長さで切断建材を切り出した場合に、切り出した切断建材に識別情報を含ませることができる。そのため、ユーザーは、切断建材に形成された識別情報を読み取って、正確に製品情報を取得することができる。以上より、建材のトレーサビリティを向上させることができる。
【０００８】
また、本発明に係る建材管理方法において、建材の長手方向における中途位置で切断された切断建材は、建材の長手方向に沿って、識別情報を少なくとも一つ備えてよい。このように、切断建材が少なくとも一つの識別情報を備えるため、ユーザーは、切断建材に形成された識別情報を読み取って、正確に製品情報を取得することができる。
【０００９】
また、本発明に係る建材管理方法は、長手方向における中途位置で切断された切断建材の検査を行う検査工程を更に備え、検査工程では、切断建材に形成されている識別情報を読み取る事によって、サーバから製品情報が取得されてよい。これにより、ユーザーは、切断建材に形成されている識別情報を読み取るだけで、容易に、且つ正確に検査を行うことができる。
【００１０】
また、本発明に係る建材管理方法は、識別情報をサーバへ送信する識別情報送信工程と、識別情報に対応する建材の製品情報をサーバに送信する製品情報送信工程と、を更に備え、製品情報送信工程は、識別情報送信工程とは異なるタイミングにて実行される。これにより、製品情報が決まっていない段階であっても、識別情報を先に建材に形成しておき、後から製品情報を識別情報と紐付けることができる。
【００１１】
本発明に係る建材管理システムは、サーバと、建材に対して、当該建材を特定するための識別情報を付与する識別情報付与部と、識別情報をサーバへ送信する識別情報送信部と、建材の製品上の特性を示す製品情報をサーバへ送信する製品情報送信部と、を備え、サーバは、識別情報送信部からの識別情報、及び製品情報送信部からの製品情報を取得する情報取得部と、識別情報と製品情報とを紐付ける情報処理部と、識別情報に関する製品情報を呼び出す旨の要求を受信した場合に、要求された識別情報に紐付けられた製品情報を送信する情報送信部と、を備え、識別情報付与部は、建材の表面側にて読み取り可能な態様にて、且つ、建材の長手方向に沿って、識別情報を連続して建材の表面側に形成する。
【００１２】
本発明に係る建材管理システムによれば、上述の建材管理方法と同様な作用・効果を得ることができる。
【００１３】
本発明に係る建材は、識別情報が表面側にて読み取り可能な態様にて形成された建材であって、建材を特定するための識別情報は、サーバに格納された建材の製品上の特性を示す製品情報と紐付けられており、読み取る事によってサーバから製品情報を取得可能であり、表面側には、建材の長手方向に沿って、識別情報が連続して形成される。
【００１４】
本発明に係る建材によれば、上述の建材管理方法と同様な作用・効果を得ることができる。
【発明の効果】
【００１５】
本発明によれば、建材のトレーサビリティを向上させることができる建材管理方法、建材管理システム、及び建材を提供できる。
【図面の簡単な説明】
【００１６】
【図１】本発明の実施形態に係る建材管理システムの構成を示すブロック図である。
【図２】建材の流通の流れにおける関係者と建材の流れの関係性を示す概念図である。
【図３】建材の流通の流れを示す概念図である。
【図４】建材管理システムを用いた情報のやり取りの一例を示す概念図である。
【図５】建材に形成された識別情報を説明するための図である。
【図６】建材に形成された識別情報を説明するための図である。
【図７】建材に形成された識別情報の変形例を説明するための図である。
【図８】本実施形態に係る建材管理方法の手順を示すフロー図である。
【図９】建材に形成された識別情報の変形例を説明するための図である。
【発明を実施するための形態】
【００１７】
以下、本発明の好適な実施形態について、図面を参照しながら説明する。
【００１８】
図１は、本発明の実施形態に係る建材管理システム１００の構成を示すブロック図である。建材管理システム１００は、建材の流通の流れの中でのトレーサビリティを確保するためのシステムである。建材管理システム１００は、識別情報を用いて建材を管理するシステムである。図２は、建材の流通の流れにおける関係者と建材の流れの関係性を示す概念図である。図３は、建材の流通の流れを示す概念図である。図４は、建材管理システム１００を用いた情報のやり取りの一例を示す概念図である。
【００１９】
まず、図２及び図３を参照して、本実施形態に係る建材管理システム１００及び建材管理方法が用いられる建材の流通の流れについて説明する。なお、建材２０は、建築に用いられる材料のうち、所定の方向に延びる長尺な部材である。建材２０として、例えば鋼管、溝形鋼、Ｈ形鋼、山形鋼、平鋼、棒鋼などが挙げられる。以降の説明では、建材２０として角形鋼管を採用した場合の例によって説明する。
【００２０】
図２に示すように、商社や特約店などの問屋Ｂのうち、一次問屋Ｂ１は、建材メーカーＡへ製品注文を行う（ルートＲ１）。これを受けて、建材メーカーＡは、建材２０を製造する（図３参照）。また、建材メーカーＡは、注文に応じた数量の建材２０をミルシートＭ（図３参照）と共に、一次問屋Ｂ１に納入する（ルートＲ２）。このとき、一次問屋は、納入状態のままの長尺な建材２０を在庫として保管する。
【００２１】
ゼネラル・コントラクターや設計事務所などの建設業者Ｄは、建設物の設計、施工計画などを立てた後、必要な鉄骨をファブリケーターＣに注文する（ルートＲ３）。なお、ここでの「鉄骨」とは、建て方に用いる加工済みの状態の建材のことである。ファブリケーターＣは、鉄骨の加工に必要な長さ、数量の建材を二次・三次問屋Ｂ２に注文する（ルートＲ４）。なお、ミルシートＭとは、建材の材質を証明する書類である。ミルシートＭには、出荷元の検印が押される。図３の例では、建材メーカーＡの検印が「××」で示され、一次問屋の検印が「○○」で示され、二次・三次問屋の検印が「△△」で示される。
【００２２】
二次・三次問屋Ｂ２は、ファブリケーターＣからの注文に応じた長さ、数量の建材を一次問屋Ｂ１に注文する（ルートＲ５）。一次問屋Ｂ１は、注文に応じて、建材切断場Ｂａにて、建材２０の切断を行う。これにより、一次問屋Ｂ１は、必要な長さに切断された切断建材２５（図３参照）をミルシートと共に二次・三次問屋Ｂ２に納入する（ルートＲ６）。また、二次・三次問屋Ｂ２は、ファブリケーターＣに注文に応じた長さ、数量の建材を納入する（ルートＲ７）。
【００２３】
ただし、二次・三次問屋Ｂ２が建材切断場Ｂａを有する場合もあり、この場合は、二次・三次問屋Ｂ２が建材２０の切断を行い、切断建材２５をファブリケーターＣに納入する場合もある。また、ファブリケーターＣが一次問屋Ｂ１に直接注文を出す場合もある。また、切断されていない建材２０がファブリケーターＣに納入される場合もある。図３に示す例では、ファブリケーターＣ３は、二次・三次問屋Ｂ２から切断建材２５を納入されている。ファブリケーターＣ２は、一次問屋Ｂ１及び二次・三次問屋Ｂ２から切断建材２５を納入されている。ファブリケーターＣ１は、一次問屋Ｂ１から切断されていない建材２０を納入されている。
【００２４】
ファブリケーターＣは、鉄骨加工場Ｃａにて、納入された建材を加工して鉄骨３０を作成する（図３参照）。このとき、ファブリケーターＣ及び建設業者Ｄは、ファブリケーターＣの鉄骨加工場にて、立会検査を行う（ルートＲ８）。立会検査で合格した後、ファブリケーターＣは、建設現場Ｄａへ鉄骨を納入する（ルートＲ９）。
【００２５】
次に、上述の流通にて用いられる本実施形態に係る建材管理システム１００の構成について図１を参照して説明する。図１に示すように、建材管理システム１００は、識別情報付与部１と、識別情報送信部２と、製品情報送信部３と、情報読取部４と、サーバ１０と、を備えている。建材メーカーＡは、識別情報付与部１、識別情報送信部２、及び製品情報送信部３を有している。問屋Ｂは、製品情報送信部３及び情報読取部４を有している。ファブリケーターＣは、情報読取部４を有している。
【００２６】
識別情報付与部１は、建材２０に対して、当該建材２０を特定するための識別情報を付与する。識別情報は、一つ当たりの建材２０に対して一つだけ設定される。識別情報は、数字、文字、記号またはそれらの組み合わせなどによって表現される情報である。識別情報付与部１は、識別情報を建材２０の表面側にて読み取り可能な態様にて形成する。読み取り可能な態様として、バーコード、ＱＲコード（登録商標）などのマークの形式で識別情報を表示する方式が挙げられる。また、読み取り可能な態様として、識別情報を建材２０の表面側に直接書き込んでもよい。読み取り可能な態様として、電子タグなどの媒体に識別情報を保持させてもよい。表面側とは、Ｈ形鋼等の開断面からなる建材は全周面のいずれかの平面側を指し、鋼管等の閉断面からなる建材は外周面側のいずれかの平面側を指す。識別情報は、サーバ１０に格納された建材２０の製品上の特性を示す製品情報と紐付けられている。製品情報の詳細については後述する。
【００２７】
識別情報付与部１は、新たな建材２０に対して識別情報を設定するための演算部を備える。ただし、識別情報付与部１は、別の箇所で設定された識別情報を取得してもよい。また、識別情報付与部１は、バーコードやＱＲコードを建材２０に形成するための装置を備える。識別情報付与部１は、識別情報の形成方法として、マーキング、レーザーマーキングを採用してよい。これらの形成方法によれば、素早く、且つ建材２０の全長に対して印字を行うことができ、ラベルのような剥がれや損傷を低減でき、電子タグよりも低いコストで実現できる。ただし、識別情報付与部１は、ラベルの貼付によって識別情報を形成してもよい。識別情報を電子タグに保持させて建材２０に形成する場合、識別情報付与部１は、電子タグに識別情報を入力する装置を有する。
【００２８】
識別情報付与部１は、建材２０の長手方向に沿って、識別情報を連続して建材２０の表面側に形成する。図５に示すように、識別情報２１は、建材２０の外表面にて、長手方向に沿って、複数並べられるように形成されている。これにより、建材２０の長手方向における一方の端部２０ａから他方の端部２０ｂまで延びる、識別情報２１の列２２が形成される。一つの識別情報２１は、独立して読み込み可能な表示部となっている。同一の表示部が列２２の中に複数個、繰り返し配置されている。識別情報２１の列２２は、建材２０の四方の側面の内の一の側面２０ｃに形成されている。また、識別情報２１の列２２は、側面２０ｃの幅方向中央に形成されている。側面２０ｃの表面のうち、識別情報２１の列２２の幅方向上下に形成されているエリアは、他の情報（例えば製品情報）などが記載されない余白スペースとなっている。なお、識別情報２１の列２２は、側面２０ｃに複数列形成されてもよく、側面２０ｃに加えて他の側面にも形成されてよい。
【００２９】
図５（ｂ）に示すように、ここでは、識別情報２１をバーコードで表示している。列２２の中では、同じパターンのバーコードが長手方向に沿って繰り返し形成されている。なお、バーコードのバーは、幅方向に延びるような向きに形成されている。ただし、バーコードの向きは特に限定されず、あらゆる向きとなるように形成されてもよく、例えばバーが長手方向に延びるような向きに形成されてもよい。
【００３０】
識別情報２１が連続している状態とは、どのような状態であるかについて更に詳細に説明する。識別情報２１が連続している状態とは、長手方向における任意の位置にて、任意の長さの切断建材２５を建材２０から切り出した場合、位置及び長さに関わらず、当該切断建材２５に少なくとも一つの識別情報２１が含まれる状態である。すなわち、仮に建材２０の長手方向に複数の識別情報２１が形成されていたとしても、識別情報２１間の長手方向における隙間の寸法が非常に大きいような状態は、当該隙間の部分から切断建材２５を切り出したときに識別情報２１が含まれなくなるため、本実施形態における「連続」には該当しないものとする。
【００３１】
図６に示すように、一つあたりの識別情報２１の長手方向における寸法をＬ１とする。一対の識別情報２１間の隙間ＳＰの寸法をＬ２とする。寸法Ｌ１は、識別情報２１をバーコードで示す場合とＱＲコードで示す場合での違いなどもあるため特に限定されないが、読み取り可能な幅に設定されてよく、６〜８００ｍｍ程度に設定されてよい。寸法Ｌ２の下限は好適には１５０ｍｍ程度であるが、０ｍｍ（すなわち、隙間ＳＰが形成されない）であってよい。あるいは、バーコードを印字する装置の設定上の都合によって隙間ＳＰが形成される場合、寸法Ｌ２の下限は、当該印字の際の制約によって形成される隙間ＳＰの最小の大きさであってよい。なお、識別情報２１は、長手方向において等ピッチに形成されてよい。すなわち、隙間ＳＰの寸法Ｌ２が一定であってよい。ただし、識別情報２１は長手方向において等ピッチでなくともよい。なお、建材２０が角形鋼管であった場合、サイズの一例として、長さは１３ｍ、幅は１５０ｍｍ×１５０ｍｍ〜１０００ｍｍ×１０００ｍｍ程度に設定される。
【００３２】
隙間ＳＰの寸法Ｌ２の上限は、特に限定されるものではなく、建材２０の種類、顧客要求、切断装置の大きさなど、様々な要素を考慮して適宜設定してよい。また、寸法Ｌ１と寸法Ｌ２の和は、８００ｍｍ以下であってよく、６００ｍｍまたは６５０ｍｍ程度が望ましい。さらに、販売時における取り決めや、切断装置の仕様上の都合などによって、切断建材２５の最小寸法Ｌ３が設定されるような場合は、寸法Ｌ２は次のような範囲であってよい。すなわち、「寸法Ｌ３≧寸法Ｌ２＋（２×寸法Ｌ１）」の関係が成り立てば、切断面をどのような位置に設定しても、切断建材２５には少なくとも１つの識別情報２１が含まれ得る。なお、図６では、「寸法Ｌ３＝寸法Ｌ２＋（２×寸法Ｌ１）」の状態を示している。従って、寸法Ｌ２は、「寸法Ｌ２≦寸法Ｌ３−２×寸法Ｌ１」の範囲で設定されてよい。なお、「寸法Ｌ１＜寸法Ｌ４＜寸法Ｌ２＋２×寸法Ｌ１」の関係が成り立つような寸法Ｌ４については、切断面の取り方によっては切断建材２５に１つの識別情報が含まれる場合もあるが、図６に示すような切断面の取り方をした場合は、識別情報２１が途中で切断されてしまい、切断建材２５に完全な１つの識別情報が含まれなくなる。従って、隙間ＳＰの大きさを「寸法Ｌ２≦寸法Ｌ３−２×寸法Ｌ１」とすることで、どのような位置で切断しても、切断建材２５に少なくとも１つの識別情報２１を含ませることができる。
【００３３】
なお、識別情報２１は、長手方向において連続していればよく、建材２０の周方向（長手方向に延びる中心線を設定した場合、当該中心線を取り囲む方向）においては、必ずしも同一の位置に形成されていなくともよい。すなわち、長手方向における複数の位置で建材２０を切断した場合、複数の切断建材２５のそれぞれには、四方の側面のいずれかの位置にて識別情報２１を確認できればよく、各切断建材２５における識別情報２１の位置が周方向に互いに異なるようなものであっても問題は生じない。例えば、図７（ａ）に示すように、長手方向におけるいずれかの領域における識別情報２１の列２２が側面２０ｃに形成され、他の領域における識別情報２１の列２２が、異なる側面２２ｄに形成されてよい。側面２０ｃの列２２の端部における識別情報２１と、側面２０ｄの列２２の端部における識別情報２１は、長手方向においては連続している。また、図７（ｂ）に示すように、各識別情報２１が二つの列２２Ａ，２２Ｂを形成するように配置されてよい。列２２Ａの識別情報２１と列２２Ｂの識別情報２１とは、互い違いとなるように形成されている。従って、列２２Ａと列２２Ｂとを組み合わせて見た場合、各識別情報２１は、長手方向において連続している。
【００３４】
また、識別情報２１が長手方向に連続している状態とは、複数の識別情報２１が長手方向に沿って繰り返し存在している状態である。当該状態には、識別情報２１のみが連なっている状態のみならず、識別情報２１と他の識別情報２１との間に、識別情報２１以外の情報が存在している状態も含まれる。具体的には、図９に示すように、建材２０には、識別情報２１に加えて、製品情報２８が長手方向に連続していてよい。製品情報２８は、製品情報の一部の情報を直接建材２０に記載したものである。ここでは、製品情報２８は、建材メーカー名（ＮＳＭＰは登録商標）、規格（ＢＣＲは登録商標）、製品名等を表示している。なお、図９では、識別情報２１には、バーコードやＱＲコードが表示されてよいため、白抜きの四角で示されている。
【００３５】
識別情報送信部２及び製品情報送信部３は、プロセッサ、メモリ、ストレージ、通信インターフェース及びユーザインターフェースを備え、一般的なコンピュータや、スマートフォン又はタブレット端末などの携帯端末として構成されている。プロセッサは、ＣＰＵ（Central  Processing  Unit）などの演算器である。メモリは、ＲＯＭ（Read  Only  Memory）やＲＡＭ（Random  Access  Memory）などの記憶媒体である。ストレージは、ＨＤＤ（Hard  Disk  Drive）などの記憶媒体である。通信インターフェースは、データ通信を実現する通信機器である。ユーザインターフェースは、液晶やスピーカなどの出力器、及び、キーボードやタッチパネルやマイクなどの入力器である。プロセッサは、メモリ、ストレージ、通信インターフェース及びユーザインターフェースを統括し、後述する識別情報送信部２及び製品情報送信部３の機能を実現する。識別情報送信部２及び製品情報送信部３では、例えば、ＲＯＭに記憶されているプログラムをＲＡＭにロードし、ＲＡＭにロードされたプログラムをＣＰＵで実行することにより各種の機能を実現する。識別情報送信部２及び製品情報送信部３は、一台の機器によって構成されてもよく、互いに異なる機器として構成されてもよい。
【００３６】
識別情報送信部２は、識別情報付与部１によって建材２０に付与された識別情報をサーバ１０へ送信する。製造ライン上にて、識別情報付与部１が新たな建材２０に対して識別情報を設定し、当該識別情報を建材２０に形成する一方、識別情報送信部２は、新たに設定された識別情報をサーバ１０へ送信する（図４参照）。
【００３７】
製品情報送信部３は、建材２０の製品上の特性を示す製品情報をサーバ１０へ送信する。製品情報は、前述のミルシートに記載され得る、建材２０の機械的性質、化学成分等を含む。製品情報は、例えば、規格、部材記号、断面寸法、長さ、員数、質量、製鋼番号、製造番号、強度試験結果、化学成分、めっき付着量などを含んでよい。また、製品情報は、出荷元の検印に相当するような確認情報を含んでよい。その他、製品情報は、会社名、製品名などの情報を含んでよい。製造ライン上にて、試験員が各種試験を行うなどによってミルシートを作成するときに、製品情報送信部３は、製品情報をサーバ１０へ送信する（図４参照）。ここで、製造ライン上では、識別情報を付与する場所と、ミルシート作成のための試験を行う場所は、異なる場所に設けられており、各工程も互いに異なるタイミングで実行される。従って、製品情報送信部３は、識別情報送信部２が識別情報を送信するタイミングとは、異なるタイミングにて製品情報を送信する。
【００３８】
情報読取部４は、上述した識別情報送信部２及び製品情報送信部３と同様に、プロセッサ、メモリ、ストレージ、通信インターフェース及びユーザインターフェースを備える。プロセッサは、メモリ、ストレージ、通信インターフェース及びユーザインターフェースを統括し、情報読取部４の機能を実現する。情報読取部４は、建材２０に形成された識別情報２１を読み取る。また、情報読取部４は、読み取った識別情報２１をサーバ１０へ送信すると共に、当該識別情報２１に紐付けられた製品情報を要求する。情報読取部４は、読み取った識別情報に基づいてサーバ１０から取得した製品情報をユーザーへ表示する。情報読取部４は、スマートフォンやタブレット端末などの携帯端末によって構成されてよく、この場合は、検査時などにユーザーが容易に識別情報を読み取ることができる。なお、情報読取部４は、バーコードや電子タグを読み取る専用の読取機器（及び読取機器を備えたコンピュータ）などであってもよい。
【００３９】
サーバ１０は、上述した識別情報送信部２及び製品情報送信部３と同様に、プロセッサ、メモリ、ストレージ、通信インターフェース及びユーザインターフェースを備える。プロセッサは、メモリ、ストレージ、通信インターフェース及びユーザインターフェースを統括し、後述するサーバ１０の機能を実現する。サーバ１０は、複数のコンピュータから構成されていてもよい。サーバ１０は、クラウドサーバであってもよい。
【００４０】
サーバ１０は、情報取得部１１と、情報処理部１２と、情報送信部１３と、を備える。情報取得部１１は、識別情報送信部２からの識別情報、及び製品情報送信部３からの製品情報を取得する。また、情報取得部１１は、情報読取部４から、識別情報に関する製品情報を呼び出す旨の要求も受信する。情報処理部１２は、識別情報と製品情報とを紐付ける。情報処理部１２は、製品情報送信部３から、識別情報で特定された建材２０についての製品情報を情報取得部１１で取得したら、当該製品情報とそれに対応する識別情報とを紐付けた状態で、データとして格納する。また、情報処理部１２は、情報読取部４から識別情報が送信されると共に、当該識別情報に対応する製品情報を要求された場合、格納されたデータを検索し、製品情報を呼び出す。情報送信部１３は、識別情報に関する製品情報を呼び出す旨の要求を受信した場合に、要求された識別情報に紐付けられた製品情報を送信する。
【００４１】
具体的には、図４に示すように、製造ラインにて識別情報付与部１が建材２０に対する識別情報を設定し、建材２０に当該識別情報２１の列２２を形成した場合、識別情報送信部２は、設定された識別情報をサーバ１０へ送信する。このとき、サーバ１０の情報処理部１２は、サーバ１０内に識別情報に対応するリンク先を決定する。その後、建材２０の試験時に製品情報が取得されると、製品情報送信部３は、試験対象となった建材２０の識別情報に対応する製品情報として、取得された製品情報をサーバ１０へ送信する。このとき、サーバ１０の情報処理部１２は、識別情報に対応するリンク先へ、製品情報を格納する。これによって、識別情報と製品情報とが、一対一の関係で紐付けられる。その後、建材２０の出荷時や出荷後には、情報読取部４が識別情報２１を読みとり、読み取った識別情報をサーバへ送信する。これにより、サーバ１０は、送信された識別情報に対応するリンク先から、製品情報を呼び出して、情報読取部へ送信する。
【００４２】
次に、図８を参照して本実施形態に係る建材管理方法の手順について説明する。図８に示すように、建材メーカーＡにて識別情報付与部１が建材２０へ識別情報を付与し、識別情報送信部２が当該識別情報をサーバ１０へ送信する（ステップＳ１：識別情報付与工程、識別情報送信工程）。なお、建材メーカーＡが建材２０に識別情報を付与するときは、一本の建材２０に対して一つの識別情報を付与してよい。この場合、同じホットコイル（原料）から作られた複数の建材２０に対して、互いに異なった識別情報が付与される。あるいは、建材メーカーＡは、同じホットコイル（原料）から作られた複数の建材２０に対して、同一の識別情報を付与してもよい。この場合、製造ラインにおける作業の手間を低減できる。
【００４３】
サーバ１０の情報取得部１１は、建材メーカーＡの識別情報送信部２から送信された識別情報を取得する（ステップＳ２）。このとき、情報処理部１２は、サーバ１０内の識別情報に対応するリンク先を決定する。次に、建材メーカーＡにて製品情報が取得されたら、製品情報送信部３は、対象となる建材２０の識別情報に対応する製品情報をサーバ１０へ送信する（ステップＳ３：製品情報送信工程）。サーバ１０の情報取得部１１は、建材メーカーＡの製品情報送信部３から送信された製品情報を取得する（ステップＳ４）。情報処理部１２は、サーバ１０内で識別情報に対応するリンク先へ、識別情報と紐付けた状態で製品情報を格納する（ステップＳ５）。以上の処理が終了した後、建材メーカーＡは、建材２０を出荷する。
【００４４】
問屋Ｂは、納入された建材２０のミルシートに検印を押印する。このとき、問屋Ｂの製品情報送信部３は、問屋Ｂによる確認が完了した旨の確認情報を製品情報としてサーバ１０へ送信する（ステップＳ６）。サーバ１０の情報取得部１１は、建材メーカーＡの製品情報送信部３から送信された製品情報を取得する（ステップＳ７：製品情報送信工程）。情報処理部１２は、サーバ１０内で識別情報に対応するリンク先へ、識別情報と紐付けた状態で製品情報を格納する（ステップＳ８）。以上の処理が終了した後、問屋Ｂは、建材２０を注文に応じた長さに切断し、切断建材２５を出荷する。なお、ステップＳ６〜Ｓ８の処理は省略されてもよい。例えば、同じホットコイル（原料）から作られた複数の建材２０に対して、同一の識別情報を付与した場合などは、ステップＳ６〜Ｓ８の処理を省略してよい。
【００４５】
ファブリケーターＣは、長手方向における中途位置で切断された切断建材２５の検査を行う検査工程を実行する。検査工程では、切断建材２５に形成されている識別情報を読み取ることによって、サーバ１０から製品情報が取得され、取得した製品情報と、切断建材２５に対して予め設定された設計情報とを照会することで検査が行われる。
【００４６】
具体的に、識別情報読取部４は、切断建材２５（または加工後の鉄骨３０）に形成されている識別情報を読み取る（ステップＳ９：検査工程）。また、識別読取部４は、読み取った識別情報に対応する製品情報をサーバ１０へ要求する（ステップＳ１０：検査工程）。このとき識別情報読取部４は、製品情報の要求と共に読み取った識別情報をサーバ１０へ送信する。サーバ１０の情報取得部１１は、ファブリケーターＣの識別情報読取部４からの要求を取得する（ステップＳ１１：検査工程）。情報処理部１２は、取得した識別情報を格納された情報に紹介する（ステップＳ１２：検査工程）。情報処理部１２は、取得された識別情報に対応するリンク先から、製品情報を呼び出す。情報送信部１３は、呼び出した製品情報をファブリケーターＣの情報読取部４へ送信する（ステップＳ１３：検査工程）。これにより、ファブリケーターＣの情報読取部４は、送信された製品情報を取得する（ステップＳ１４：検査工程）。これにより、ファブリケーターＣは、検査対象となる切断建材２５に対応する製品情報を参照することができる。ファブリケーターＣは、取得した製品情報と設計情報とを照会することで、切断建材２５の検査を行うことができる。以上により、図８の処理が終了する。
【００４７】
次に、本実施形態に係る建材管理方法、建材管理システム１００、及び建材の作用・効果について説明する。
【００４８】
本実施形態に係る建材管理方法は、建材２０に対して、当該建材２０を特定するための識別情報を付与する識別情報付与工程を備える。識別情報は、建材２０の表面側にて読み取り可能な態様にて形成されている。また、識別情報は、サーバ１０に格納された建材２０の製品上の特性を示す製品情報と紐付けられており、読み取る事によってサーバ１０から製品情報を取得可能である。従って、ユーザーは、建材２０の表面側に形成された識別情報を読み取ることで、サーバ１０から当該識別情報に紐付けられた製品情報を取得することができる。ここで、識別情報付与工程では、建材２０の長手方向に沿って、識別情報を連続して建材２０の表面側に形成する。従って、建材２０の長手方向の任意の位置と任意の長さで切断建材２５を切り出した場合に、切り出した切断建材２５に識別情報を含ませることができる。そのため、ユーザーは、切断建材２５に形成された識別情報を読み取って、正確に製品情報を取得することができる。以上より、建材２０のトレーサビリティを向上させることができる。
【００４９】
また、本実施形態に係る建材管理方法において、建材２０の長手方向における中途位置で切断された切断建材２５は、建材２０の長手方向に沿って、識別情報を少なくとも一つ備えてよい。このように、切断建材２５が少なくとも一つの識別情報を備えるため、ユーザーは、切断建材２５に形成された識別情報を読み取って、正確に製品情報を取得することができる。
【００５０】
また、本実施形態に係る建材管理方法は、長手方向における中途位置で切断された切断建材２５の検査を行う検査工程を更に備え、検査工程では、切断建材２５に形成されている識別情報を読み取る事によって、サーバ１０から製品情報を取得されてよい。これにより、ユーザーは、切断建材２５に形成されている識別情報を読み取るだけで、容易に、且つ正確に検査を行うことができる。
【００５１】
また、本実施形態に係る建材管理方法は、識別情報をサーバ１０へ送信する識別情報送信工程と、識別情報に対応する建材２０の製品情報をサーバ１０に送信する製品情報送信工程と、を更に備え、製品情報送信工程は、識別情報送信工程とは異なるタイミングにて実行される。これにより、製品情報が決まっていない段階であっても、識別情報を先に建材に形成しておき、後から製品情報を識別情報と紐付けることができる。
【００５２】
本実施形態に係る建材管理システム１００は、サーバ１０と、建材２０に対して、当該建材２０を特定するための識別情報を付与する識別情報付与部１と、識別情報をサーバ１０へ送信する識別情報送信部２と、建材２０の製品上の特性を示す製品情報をサーバ１０へ送信する製品情報送信部３と、を備え、サーバ１０は、識別情報送信部２からの識別情報、及び製品情報送信部３からの製品情報を取得する情報取得部１１と、識別情報と製品情報とを紐付ける情報処理部１２と、識別情報に関する製品情報を呼び出す旨の要求を受信した場合に、要求された識別情報に紐付けられた製品情報を送信する情報送信部１３と、を備え、識別情報付与部１は、建材２０の表面側にて読み取り可能な態様にて、且つ、建材の長手方向に沿って、識別情報を連続して建材２０の表面側に形成する。
【００５３】
本実施形態に係る建材管理システム１００によれば、上述の建材管理方法と同様な作用・効果を得ることができる。
【００５４】
本実施形態に係る建材２０は、識別情報が表面側にて読み取り可能な態様にて形成された建材２０であって、建材２０を特定するための識別情報は、サーバ１０に格納された建材２０の製品上の特性を示す製品情報と紐付けられており、読み取る事によってサーバ１０から製品情報を取得可能であり、表面側には、建材２０の長手方向に沿って、識別情報が連続して形成される。
【００５５】
本実施形態に係る建材によれば、上述の建材管理方法と同様な作用・効果を得ることができる。
【００５６】
本発明は、上述の実施形態に限定されるものではなく、発明の趣旨を逸脱しない範囲で適宜変更してよい。
【００５７】
例えば、図２及び図３に示す建材の流通形態は一例に過ぎず、このような流通形態に限定されるものではない。すなわち、製品情報をサーバに格納するタイミングや、検査のタイミングなどは適宜変更されてよい。
【符号の説明】
【００５８】
１…識別情報付与部、２…識別情報送信部、３…製品情報送信部、４…情報読取部、１０…サーバ、１１…情報取得部、１２…情報処理部、１３…情報送信部、２０…建材、２１…識別情報、２５…切断建材、１００…建材管理システム。
【図１】
2019175227.tif 000003
【図２】
2019175227.tif 000004
【図３】
2019175227.tif 000005
【図４】
2019175227.tif 000006
【図５】
2019175227.tif 000007
【図６】
2019175227.tif 000008
【図７】
2019175227.tif 000009
【図８】
2019175227.tif 000010
【図９】
2019175227.tif 000011